(57)【要約】  地面上又は床面上の高い位置にある電力を供給する電気的リード線（３２）や空気ホースのようなコードを保持するコード保持具（１０，１００，１４０，１６０）が提供される。コード保持具（１０，１００，１４０，１６０）は、コード（３２）を入れる寸法とされた孔（３０，１４８）を備えた可撓性のあるウェブ（１４，１４６，１６８）を有する。２つの離隔されたコード保持具（１０，１００，１４０，１６０）において、コード（３２）は、その自重のもとに又は当該コード（３２）の正常な設置中に、孔（３０，１４８）において縦方向に滑ることを実質的に防止される範囲まで、ウェブ（１４，１４６，１６８）に関する略縦方向の移動に対して保持される。一連のフレーム（１７０，１８０，１９０）はまた、建物及び建築現場の構造物にコード保持具（１０，１００，１４０，１６０)を取り付けるために提供される。
2005510993.tif 000002
【特許請求の範囲】
【請求項１】
地面上又は床面上のコードを吊り下げるコード保持具であって、
本体と、
上記本体に付随するクランプ手段と、
上記本体に関して作用する装着手段とを含み、
上記クランプ手段は、上記コードをクランプすることができるとともに、当該コード保持具に関する略縦方向の移動に対して当該コードを保持することができ、
上記クランプ手段は、その縦方向における上記コードの制限のある配置を可能とする可撓性のある遅延手段を含むこと
を特徴とするコード保持具。
【請求項２】
地面上又は床面上のコードを吊り下げるコード保持具であって、
本体と、
上記本体に付随する可撓性のあるウェブと、
上記本体に関して作用する装着手段とを含み、
上記可撓性のあるウェブは、当該可撓性のあるウェブの外側端部まで延在するスリットを備えて提供される少なくとも１つの開口を含み、
上記スリットは、上記可撓性のあるウェブが当該スリットを介した上記開口内への上記コードの挿入を可能とするために変形することができるように配設され、
その結果、上記コードは、上記可撓性のあるウェブに関する略縦方向の移動に対して保持され、
上記装着手段は、上記本体が上記地面上又は上記床面上に吊り下げられることを可能とすること
を特徴とするコード保持具。
【請求項３】
上記可撓性のあるウェブにおける上記開口は、上記コードの直径の５％乃至１５％の間よりも小さいこと
を特徴とする請求項２記載のコード保持具。
【請求項４】
上記スリットの幅は、上記孔の直径の１５％よりも小さいこと
を特徴とする請求項２記載のコード保持具。
【請求項５】
上記開口内への挿入位置でその直径を増加させるために、上記コードに関する位置用のパッキング要素をさらに含むこと
を特徴とする請求項２記載のコード保持具。
【請求項６】
上記本体は、上記可撓性のあるウェブの弾性を増加させるために、隣接する開口間に配置された指要素を含むこと
を特徴とする請求項２記載のコード保持具。
【請求項７】
パイプに対する取り付けのためのクランプを有するフレーム部材をさらに含むこと
を特徴とする請求項２記載のコード保持具。
【請求項８】
上記フレーム部材は、上記本体、及び当該フレーム部材に対する当該本体の取り付けのための固定手段を入れるチャネルを有すること
を特徴とする請求項７記載のコード保持具。
【発明の詳細な説明】
【技術分野】
【０００１】
本発明は、地面上や床面上の高い位置にあるコードを保持するコード保持具に関する。特に、本発明は、電気的なショック及び感電死の危険性を低減する地面上の電気的リード線を吊り下げる電気的リード線保持具に関する。典型的に、そのような電気的リード線は、本線電力供給リード線及び溶接電力供給リード線を含むものである。
【０００２】
以下では、本発明は、電気的リード線であるコードに特定した言及で記述されるが、例えば酸素アセチレン溶接において用いられるような空気的リード線を含む他のコードとともに用いることができることは理解されることになっている。さらに、以下では、用語"リード線"は、一般に、用語"電気的リード線"の略語として用いられるであろう。
【背景技術】
【０００３】
建築業界においては、地面上又は床面上の電気的リード線の配置に起因する建築現場での感電死による多数の死があった。これらのリード線は、偶然に切断されるかもしれないし、又はそれらの接続部で浸水するかもしれず、その両方が容易に感電死をもたらすことができる。
【０００４】
したがって、建築現場での電気的リード線を任意の作業面上に吊り下げることを要求する安全基準がいくつかの国々で実行されてきた。職人は、地面上のリード線を吊り下げるために、足場等にそれらの電気的リード線を結び付けるためのケーブル結び、テープ、ロープ、又はワイヤーさえもよく用いる。このことは、（足場の場合には）電気的リード線がなお金属表面と直接接触しているという問題を有している。そのような吊り下げはまた、一般に、足場に電気的リード線を結び付けるために要する時間のために、職人にとって不都合である。また、テープ及びケーブル結びは、再使用することができない。さらに、これらの結び付け方法は、電気的リード線に対する損傷をもたらし、且つ電気的リード線の長い寿命を著しく低減する傾向がある。
【０００５】
建築現場において電気的リード線を支持するＴ字形の頂部部材を備えた携帯可能なポスト型スタンドを用いることが知られている。現場に来る各職人は、スタンドの頂部上に自己のリード線を置くことにより、当該リード線を吊り下げる。このことは、多くの問題を有している。第１に、リード線は、各スタンドに固定される必要があり、さもなければ、隣接するスタンドの間であまりに垂下する。これは、時々、スタンドについてリード線を結び付けることによって行われ、当該リード線を損傷する傾向があり、危険である。第２に、職人が自己のリード線を探したい場合には、当該職人は、他の職人によって置かれた他の多くの同様又は同一のリード線の中から見つけ出す必要があり、困難で時間を浪費する。さらに、見つけ出した場合には、他のリード線からリード線をほぐす必要があり、且つスタンドの頂部部材からほどく必要がある。さらにまた、スタンドは、特に多数のリード線を支持する場合には、多少不安定である傾向があり、職人が当該スタンドから自己のリード線を取り除くことを試みる場合に転倒しやすい。さらにまた、たとえリード線が隣接するスタンド間に固定されたとしても、実質的に危険である重要な垂下の問題がなお存在し、スタンドにぶつかることを回避するために、リード線の下で屈むことを職人に要求することになる。スタンドは、移動可能である（すなわち、地面に固定されていない）ことから、垂下の問題は残存する。したがって、隣接するスタンドの間でリード線を張りすぎることを許容できない。
【０００６】
オーストラリア特許第７１６０３３号明細書には、２つの顎の間に画定された鍵穴形のスロットを備えた弾性のあるクリップを用いて地面上のコードを吊り下げる装置が開示されている。この装置に関する問題は、クリップがコードの放射方向にのみ弾性があり、コードの軸方向に弾性を有していないということである。したがって、クリップにおいてコードの滑りが生じるであろう。これゆえに、オーストラリア特許第７１６０３３号明細書における装置の２つの隣接したものは、コードを張ることを許容できないであろう。したがって、コードの垂下は、まだ問題であろう。
【発明の開示】
【０００７】
したがって、地面上又は床面上のコードを吊り下げるコード保持具を提供することが本発明の目的である。
【０００８】
本発明の１つの様相によれば、地面上又は床面上のコードを吊り下げるコード保持具であって、本体と、上記本体に付随するクランプ手段と、上記本体に関して作用する装着手段とを含み、上記クランプ手段は、上記コードをクランプすることができるとともに、当該コード保持具に関する略縦方向の移動に対して当該コードを保持することができ、上記クランプ手段は、その縦方向における上記コードの制限のある配置を可能とする可撓性のある遅延手段を含むことを特徴とするコード保持具が提供される。
【０００９】
本発明の他の様相によれば、地面上又は床面上のコードを吊り下げるコード保持具であって、本体と、上記本体に付随する可撓性のあるウェブと、上記本体に関して作用する装着手段とを含み、上記可撓性のあるウェブは、当該可撓性のあるウェブの外側端部まで延在するスリットを備えて提供される少なくとも１つの開口を含み、上記スリットは、上記可撓性のあるウェブが当該スリットを介した上記開口内への上記コードの挿入を可能とするために変形することができるように配設され、その結果、上記コードは、上記可撓性のあるウェブに関する略縦方向の移動に対して保持され、上記装着手段は、上記本体が上記地面上又は上記床面上に吊り下げられることを可能とすることを特徴とするコード保持具が提供される。
【００１０】
本発明の内容において、コードは、その自重のもとに又は当該コードの正常な設置中に、２つの離隔されたコード保持具の中へと当該コードがウェブにおける孔において滑ることを実質的に抑制された範囲まで、ウェブに関する略縦方向の移動に対して保持される。すなわち、コード保持具の正常な使用で且つコード上に配置された正常な荷重のもとでは、孔を介したコードの滑りは実質的に存在しない。このことは、コードの自重に対して当該コードを張るために、隣接するコード保持具の間で当該コードが張られることを可能とし、これにより、当該コード保持具の間におけるコードの垂下を実質的に除去する。
【００１１】
本発明の内容において、コード保持具に関するコードの略縦方向の移動は、当該コード保持具に関してコードが滑ることを可能とし、これにより、２つのコード保持具が離隔された場合にコードが当該２つのコード保持具の間で実質的に垂下することを可能とする移動である。
【発明を実施するための最良の形態】
【００１２】
本発明の具体例は、添付図面を参照してここに記述される。
【００１３】
図１乃至図４において、本発明の１つの様相にしたがう電気的リード線保持具１０が示される。電気的リード線保持具１０は、本体１２と、本体に付随する可撓性のあるウェブ１４と、本体１２に関して作用する装着タブ１６の形式の装着手段とを含む。
【００１４】
具体例において、本体１２は、平面でみたとき略Ｃ字形とされ、その長さに沿って略水平とされ、略一定の深さとされる。本体は、両方とも上述した形状を有する２つの半体１８，２０から適切に形成される。２つの半体１８，２０は、それらの間にウェブ１４を挟持し、当該ウェブ１４について当該２つの半体１８，２０を固定するためのリベット２２やその他の固定部材を入れる孔を有する。２つの半体１８，２０について加工可能な長さは、約１６０ｍｍであり、幅が約５０ｍｍであり、厚さが約１０ｍｍである。これらの寸法は、典型的には約８ｍｍの直径を有する従来の２４０ボルト本線電気的リード線を作動することができるものに関する指針と同様にして単に得られるものである。他の寸法は、さらに以下より詳細に記述するような作用を行う。２つの半体１８，２０の厚さは、望ましくは、ウェブ１４を支持するように本体１２を比較的固くするのに十分である。
【００１５】
典型的には、本体１２は、ナイロン又は他の電気的に絶縁するプラスチック材料から作製される。典型的には、プラスチック材料は、紫外光からの劣化に対して安定する。代替として、本体１２は、木又は他の電気的絶縁材料から作製され得る。一方、本体１２は、電気的絶縁コーティングをともなう又は電気的絶縁コーティングなしの電気的に導電性のある金属材料から作製され得る。しかしながら、これは、電気的な短絡を生じる危険性を増加させることから望ましくない。
【００１６】
ウェブ１４について２つの半体１８，２０を固定するために用いられる固定部材は、金属又はプラスチック材料から作製され得る。プラスチック材料のスパークの危険性があるアプリケーションにおいては、リベット２２が望ましい。
【００１７】
代替として、２つの半体１８，２０は、ウェブ１４について釘付けすることができる。
【００１８】
略Ｕ字形の断面を備えた単片として形成された２つの半体１８，２０を備えたダイスにおいて本体１２を作製され得ることが予想される。この場合、可撓性のあるウェブ１４は、リベット２２を備えた本体１２において固定され得る。代替として、本体１２の内面は、可撓性のあるウェブ１４が本体１２に挿入されるものの、鋸歯状の切り込みの作動によって当該本体１２から除去されることを抑制することができるような当該可撓性のあるウェブ１４とかみ合うための鋸歯状に配列された切り込みを備えて提供され得る。代替として、可撓性のあるウェブ１４は、本体１２及び可撓性のある本体１２について成型された本体の形成中に、ダイスにおいて配置され得る。この配置において、本体１２は、孔、さもなければ提供されるリベット２２を介して成型され得る。換言すれば、本体１２についての成型プロセスは、可撓性のあるウェブ１４を介したリベット２２の形成を含むことができ、これにより、本体１２における可撓性のあるウェブ１４の確実なキーを提供することができる。
【００１９】
可撓性のあるウェブ１４は、その長さに沿って略水平であり、本体１２のＣ字形の開放側によって結合される領域を満たすために配設される。ウェブ１４は、本体１２のＣ字形の領域内に形成された複数の孔３０を有する。この具体例においては、３つの孔３０があるが、多かれ少なかれ、孔３０を用いることができる。１つの孔３０を用いることもでき、孔３０の最大個数に対する主要な制限は、本体１２の長さ及び孔３０の大きさである。
【００２０】
各孔３０は、当該孔３０内で（図１及び図３に示すような）電気的リード線３２が縦方向に滑ることを抑制するように、電気的リード線３２に快適に適合するような大きさとされる。各孔３０は、ウェブ１４の自由端部３６まで延在するスリット３４を有する。スリット３４は、リード線３２が孔３０に挿入され且つ当該孔３０から除去されることを可能とする。
【００２１】
望ましくは、孔３０の直径は、電気的リード線３２の直径未満である。より望ましくは、孔３０の直径は、電気的リード線３２の直径の５％乃至１５％の間よりも小さい。典型的には、孔３０の直径は、リード線３２の直径未満で約１〜２ｍｍである。典型的には、２４０ボルト電気的リード線３２は、約８ｍｍの直径を有しており、したがって、孔３０の直径は、６〜７．５ｍｍの間、最も典型的には約７ｍｍとされるであろう。しかしながら、２４０ボルト電気的リード線３２について、それらの電流伝送能力及び使用される絶縁厚に依存して５〜１１ｍｍの直径を有することが知られている。したがって、孔３０は、いわば１２ｍｍ以上と比較的大きく作製することができ、インサートは、電気的リード線３２の実際の大きさを提供するように用いることができる。例えば、８ｍｍのリード線３２は、インサートに４ｍｍ以上、望ましくは約５ｍｍ、孔３０の半径を満たすことを要求するであろう。インサートは、リード線３２で被包され、当該リード線３２とともに孔３０内に押下される。
【００２２】
孔３０は、空気ホースや電気的溶接リード線を保持するためのように、１２ｍｍよりもはるかに大きくなり得ることが理解される。空気ホースの場合には、孔３０は、直径にして約３０ｍｍ（以上）であり得る。そのような場合には、ウェブ１４の幅は、いわば１５〜３０ｍｍの間であり、また、本体の半体１８，２０はまた、さらに保持具１０に十分な強固さを提供するためにより広いであろう。
【００２３】
ウェブ１４は、リード線３２の挿入を可能とするために（図５ａに示すように）スリット３４を開くことができるように可撓性を有する。したがって、ウェブ１４は、（図５ｃ及び図５ｄに示すように）リード線３２に対して適用される縦方向の力がある場合には、屈曲され得る。そのような力は、（図６に示すように）２つの隣接する電気的リード線保持具１０の間に吊り下げられたリード線３２の自重により、及び／又は、一連の電気的リード線保持具１０にリード線３２を挿入するプロセス中に、適用されてもよい。
【００２４】
ウェブ１４は、保持される電気的リード線３２の直径及び重量に依存して、３ｍｍ乃至３０ｍｍの間、特に約８ｍｍの厚さを有するゴム材料から適切に作製される。ウェブ１４はまた、例えばエラストマーのポリウレタン等のような可撓性のあるプラスチック材料で作製され得る。リード線３２上のクランプ力を作用することができ、孔３０において縦方向に滑ることを抑制することができる場合には、他の材料を用いることができるかもしれないことがさらに考えられる。
【００２５】
ウェブ１４は、ＥＤＰＭ又はコンベヤベルトからの裁断物から作製され得る。そのようなベルトは、ナイロンを強化するビーズや非導電性強化物等を有することができる。
【００２６】
さらに、ウェブ１４は、多層で作製され得る。例えば、いわば８ｍｍの厚さの単一のウェブ１４を作製するために、帯ひもの４つの薄層を用いることができる。我々は、これがウェブ１４のクランプ力を増加し、リード線３２が２つの隣接する保持具１０の間で張られたときに当該リード線３２の滑りの危険性をさらに低減するであろうと予想する。
【００２７】
ウェブ１４が、孔３０において縦方向に滑ることを抑制するためにリード線３２をクランプして保持する間に、当該リード線の挿入のために屈曲することをなお可能にするように、十分に固いが可撓性のある材料で作製されている場合には、スリット３４は、狭いスロットに置換されて提供され得ることがさらに考えられる。望ましくは、スリット３４の幅は、孔３０の直径の１５％未満である。
【００２８】
装着タブ１６は、地面上の位置に対する取り付けのための孔４０を有する。装着タブ１６は、適切にウェブ１４の一部である。すなわち、タブ１６及びウェブ１４は、同じ可撓性のある材料の２つの部分である。図６及び図１３に示すように、フック４２は、孔４０を介して挿入され、地面上又は床面上のリード線３２を吊り下げるために建築現場でビーム４４に対してフックされ得る。
【００２９】
代替として、装着タブ１６の孔４０は、フック４２又はビーム４４等に対して取り付けるための同様のデバイスの１つに永久的に装着することができる。
【００３０】
装着タブ１６は、ビーム４４に対して一時的に取り付けるためのクリップ等に置換され得ることが考えられる。
【００３１】
本体１２、ウェブ１４、及び装着タブ１６は、射出成型等によって単片として作製され得ることがさらに考えられる。いわば約５〜８ｍｍと比較的薄い場合には比較的柔軟であり、いわば約１５ｍｍ以上と比較的厚い場合には比較的固いことから、エラストマーのポリウレタンを用いることができる。
【００３２】
本体１２は、Ｃ字形以外のものであり得ることがさらに考えられる。例えば、本体１２は、孔３０のそれぞれの間に実質的に延在する非常に広い櫛歯のような指部を有することができる。そのような配置は、孔３０に近接するウェブ１４に対してより大きな支持を与え、これにより、より重いリード線３２を搬送することを可能とするであろう。
【００３３】
図７において、電気的リード線保持具１０に類似する電気的リード線保持具１００を示し、同様の部分を同じ符号で示す。電気的リード線保持具１００は、タブ１６と反対側の端部に配置されたフック部分１０６をそれぞれ備えた２つの半体１０２，１０４を有している点で、電気的リード線保持具１０とは異なる。
【００３４】
フック部分１０６は、適切に、ウェブ１４における下側端部１１２及び当該フック部分１０６の遠位端部１１４によって画定される口部１１０を有する。口部１１０は、典型的には、フック部分１０６に電気的リード線３２を挿入する場合にウェブ１４における下側端部１１２を屈曲するために力を使用しなければならないように、電気的リード線３２の直径よりも僅かに狭くなっている。狭い口部１１０は、電気的リード線３２の自由端部に取り付けられた器具の正常な使用中に、フック部分１０６から不用意に出てくるループの危険性がほとんどない状態で、電気的リード線３２の一連のループの安全な保持を提供する。この特徴は、電力を供給する電気的リード線の超過分を輪状にすることを法律が防止しているいくつかの国々においては望ましくないかもしれない。しかしながら、フック部分１０６は、リード線３２を使用中でない場合に、当該リード線３２の自由端部を格納するために使用することができ、リード線３２が地面や床面から離れるように維持することができる。さらに、フック部分１０６はまた、空気ホースや同様のもの、又は例えばクリアランスランプを掛けるためのような汎用のフックとして機能するものに適切であるかもしれない。フック部分１０６の目的は、電気的リード線３２の超過長分がともにループとなり、保持具１００の下側端部で当該フック部分１０６によって保持されることを可能とするために、リード線３２の複数のループを保持することである。
【００３５】
フック部分１０６は、複数のリード線３２からループを入れるための本体１２に関して比較的長くすることができることが考えられる。また、口部１１０の幅は、リード線３２のループの容易な挿入及び除去について可能とするために、リード線３２の直径よりも大きくなり得ることが考えられる。さらに、ループがフック部分１０６に位置した場合に口部１１０を機械的に閉塞するように、閉塞装置が口部１１０を横切って提供され得ることが考えられる。そのような閉塞装置は、ループが口部１１０に挿入されるときに当該口部１１０から遠ざけて偏らされるバネで付勢された腕部の形状とすることができる。また、腕部は、ループを除去するための手によってバネの張力に対して偏らされ得る。
【００３６】
使用中には、複数の電気的リード線保持具１０は、建築現場での高い構造であるビーム４４等に沿った方法で離隔されて取り付けられる。具体例において、フック４２のうちの１つは、ビーム４４に対して電気的リード線保持具１０のそれぞれを取り付けるために用いられる。図５ａに示すように、ウェブ１４におけるスリット３４は、広く開口してリード線３２が挿入される。そして、スリット３４の側面のいずれかにあるウェブ１４の２つの部分は、孔３０においてリード線３２が滑ることを抑制するために、当該ウェブ１４が閉じてリード線３２を把持することを可能とするためにリリースされる。
【００３７】
そして、リード線３２は、その長さの中間に持ち上げられ、第１の上述した電気的リード線保持具１０から離隔された他の隣接する電気的リード線保持具１０の孔３０のうちの１つに挿入される。この手続きは、地面上又は床面上に電気的リード線３２を吊り下げるために、当該電気的リード線３２の全長にわたって繰り返され得る。２つの隣接する電気的リード線保持具１０の間のリード線３２におけるほとんどの弛緩は、１つの手に電気的リード線保持具１０を保持するとともに、孔３０を介して当該リード線３２を縦方向に引っ張ることによって除去することができる。リード線３２は、当該リード線３２がもつれる危険性を低減するために、保持具１０のそれぞれの同じ高さにある孔３０に挿入されるであろうことが考えられる。
【００３８】
実質的な量のリード線３２が器具の終端に残されている場合には、保持具１００を用いることができ、余分のリード線３２は、フック部分１０６に保持することができるループに収集することができる。しかしながら、これは、いくつかの電圧及びいくつかの国々においては適切でないかもしれない。
【００３９】
図８に、本発明の他の具体例にしたがう電気的リード線保持具１４０を示す。電気的リード線保持具１４０は、電気的リード線保持具１０と類似しており、同様の部分は、同様の符号で示している。電気的リード線保持具１４０は、逆Ｔ字形のような形状とされる２つの半体１４２，１４４を有している点で、電気的リード線保持具１０とは異なる。電気的リード線保持具１４０はまた、平面でみたとき略三角形であり、その３辺のうちの２辺に沿って２組の孔３０を有するウェブ１４６を有する。
【００４０】
便利なことに、孔３０は、電気的リード線３２又は電気的溶接リード線の高い電流供給能力を保持するような、いくつかの大きな直径を有する孔１４８を含むことができる。
【００４１】
２つの半体１４２，１４４はまた、後述する保持具１４０を安全にするための、又はフック４２のうちの１つを取り付けるための孔３０，１４８から遠位側にある孔１５０を有する。
【００４２】
図９及び図１０に、本発明のさらに他の具体例にしたがう電気的リード線保持具１６０を示す。電気的リード線保持具１６０は、電気的リード線保持具１０と類似しており、同様の部分は、同様の符号で示している。電気的リード線保持具１６０は、支持凸縁１６６が中心に配置されたＥ字形とされる２つの半体１６２，１６４を有している点で、電気的リード線保持具１０とは異なる。半体１６２，１６４は、２組の３つの孔３０を有するウェブ１６８を挟持する。
【００４３】
電気的リード線保持具１６０は、６本までの電気的リード線３２を保持することが可能である。
【００４４】
電気的リード線保持具１６０はまた、半体１６２，１６４を入れるために略チャネル形とされたフレーム１７０を有する。典型的には、ボルト１７２は、フレーム１７０に半体１６２，１６４を固定するために用いられる。この目的のために、半体１６２，１６４は、保持具１４０の孔１５０と同様の孔を有する。フレーム１７０はまた、共通の既知の種類であって足場の建設において用いられるクランプ１７４を適切に有する。
【００４５】
クランプ１７４は、建物又は建築現場での足場において用いられるようなパイプ１７６に対して電気的リード線保持具１６０を固定することを可能とする。
【００４６】
図１１及び図１２に、それぞれ、より小さな半体１２，１４、及びより大きな半体１６２，１６４のためのフレーム１８０，１９０のさらなる具体例を示す。フレーム１９０はまた、パイプの頂上の当該フレーム１９０を固定するためのグラブネジ１９４を備えたパイプ端部１９２を有する。
【００４７】
また、パイプ端部１９２は、フレーム１９０の側面に固定され得ることが考えられる。この場合、パイプ端部１９２は、垂直方向に向けられた金属材料で強化したバーを滑ることができ、強化したバーの長さに沿った方法でグラブネジ１９４部分で固定することができる。
【００４８】
各保持具１０，１００，１４０，１６０がリード線３２をクランプすることから、当該リード線３２が孔３０において滑ることを実質的に抑制されることに着目することは重要である。したがって、複数の保持具１０，１００，１４０，１６０に沿ったリード線３２の設置中に、当該リード線３２は、そのような当該リード線３２を高くした場合にさもなければ生じる垂下量を低減するために張ることができる。
【００４９】
過去においては、そのような伸張は、足場やＴ字形の支持部に対して電気的リード線３２を結ぶことによってのみ達成された。そのように結ぶことは、危険であり、電気的リード線３２に対する損傷をもたらす傾向がある。
【００５０】
電気的リード線保持具１０，１００，１４０，１６０は、足場チューブ、アングル鉄、ドアフレーム、屋根支持部材、雨樋、ポスト、強化バー等を含む、建物、鉱山及び建築現場で一般にみられる様々な建造物に対して取り付けることができる。
【００５１】
本発明のコード保持具１０，１００，１４０，１６０の使用により、コード３２は、地面上又は床面上に吊り下げることができ、コード保持具１０，１００に関して滑ることを抑制することができる。また、複数のコード３２は、コード保持具１０，１００，１４０，１６０の１つによって吊り下げられ得る。
【００５２】
電気的リード線３２とともに使用された場合には、コード保持具１０，１００，１４０，１６０は、電気的なショック及び感電死の危険性を低減する。また、リード線３２が地面や床面から離れて吊り下げられることから、当該リード線３２は、より清潔に保たれ、損傷の傾向が少なく、また、寿命がより長くなる。さらに、リード線３２上で労働者が軽快に動くことによる事故の危険性が少ない。さらにまた、リード線３２は、それぞれ、隣接する保持具１０，１００，１４０，１６０の間の当該リード線３２が実質的に垂下することを低減するために張ることができ、したがって、労働者がリード線３２の下で屈む必要性を低減する。
【００５３】
熟練した名宛人にとって明らかであろう変形やバリエーションは、本発明の範囲内で考慮される。例えば、ビーム４４に対して電気的リード線保持具１０，１００，１４０を取り付けるために、ロープやケーブル結び等を用いることができる。また、半永久的又は永久的な方法で定着物に保持具１０，１００，１４０を取り付けるために、Ｕ字形クランプを用いることができる。さらに、電気的リード線３２に電流が流れているか否かを検出するために、１つ以上の孔３０に電流検出装置を関連させることができ、また、電流の流れを視覚的に示すことを提供するために、インジケータを用いることができる。リード線３２の電流の流れを検出する目的で、ウェブ１４に電気的なコイルを成型することができる。
【図面の簡単な説明】
【００５４】
【図１】図１は、本発明の１つの様相にしたがう電気的リード線保持具を上方からみたときの斜視図であって、その孔のうちの１つに設置された電気的リード線を示す図である。
【図２】図２は、図１の電気的リード線保持具の側面図である。
【図３】図３は、図１の電気的リード線保持具の端部をみた図であって、その孔のうちの１つにおける電気的リード線をともに示す図である。
【図４】図４は、図１の電気的リード線保持具の終端部をみた図である。
【図５ａ】図５ａは、図３の電気的リード線保持具の端部の一部をみた図であって、当該電気的リード線保持具の孔にリード線を挿入する様子を示す図である。
【図５ｂ】図５ｂは、図５ａの電気的リード線保持具の端部の一部をみた図であって、孔におけるリード線の正常位置を示す図である。
【図５ｃ】図５ｃは、図５ａの電気的リード線保持具の端部の一部をみた図であって、２つの離隔された電気的リード線保持具の間へのリード線の設置中に生じるかもしれないような２つの反対の方向へと正常に引っ張る力のもとでの当該電気的リード線保持具のウェブの偏りを示す図である。
【図５ｄ】図５ｄは、図５ａの電気的リード線保持具の端部の一部をみた図であって、２つの離隔された電気的リード線保持具の間へのリード線の設置中に生じるかもしれないような２つの反対の方向へと正常に引っ張る力のもとでの当該電気的リード線保持具のウェブの偏りを示す図である。
【図６】図６は、本発明の３つの電気的リード線保持具を上方からみたときの斜視図であって、建築現場でビームに沿った地面上又は床面上の電気的リード線を吊り下げて使用する様子を示す図である。
【図７】図７は、本発明の他の具体例にしたがう電気的リード線保持具の側面図である。
【図８】図８は、本発明のさらに他の具体例にしたがう電気的リード線保持具の側面図である。
【図９】図９は、本発明のさらに他の具体例にしたがう電気的リード線保持具を上方からみたときの斜視図であって、パイプに取り付けられている様子を示す図である。
【図１０】図１０は、図９の電気的リード線保持具のフレームを下方からみたときの斜視図である。
【図１１】図１１は、本発明のさらに他の具体例にしたがう電気的リード線保持具を下方からみたときの斜視図である。
【図１２】図１２は、本発明のさらに他の具体例にしたがう電気的リード線保持具のフレームを上方からみたときの斜視図である。
【図１３】図１３は、図１、図７、及び図８の電気的リード線保持具に使用して適したフックを上方からみたときの斜視図である。
【図１】
2005510993.tif 000003
【図２】
2005510993.tif 000004
【図３】
2005510993.tif 000005
【図４】
2005510993.tif 000006
【図５ａ】
2005510993.tif 000007
【図５ｂ】
2005510993.tif 000008
【図５ｃ】
2005510993.tif 000009
【図５ｄ】
2005510993.tif 000010
【図６】
2005510993.tif 000011
【図７】
2005510993.tif 000012
【図８】
2005510993.tif 000013
【図９】
2005510993.tif 000014
【図１０】
2005510993.tif 000015
【図１１】
2005510993.tif 000016
【図１２】
2005510993.tif 000017
【図１３】
2005510993.tif 000018
【手続補正書】
【提出日】平成15年12月22日(2003.12.22)
【手続補正１】
【補正対象書類名】特許請求の範囲
【補正対象項目名】全文
【補正方法】変更
【補正の内容】
【特許請求の範囲】
【請求項１】
地面上又は床面上のコードを吊り下げるコード保持具であって、
本体と、
上記本体に付随するクランプ手段と、
上記本体に関して作用する装着手段とを含み、
上記クランプ手段は、上記コードをクランプすることができるとともに、当該コード保持具に関する略縦方向の移動に対して当該コードを保持することができ、その縦方向における上記コードの制限のある配置を可能とする可撓性のある遅延手段を含むこと
を特徴とするコード保持具。
【請求項２】
地面上又は床面上のコードを吊り下げるコード保持具であって、
本体と、
上記本体に付随する可撓性のあるウェブと、
上記本体に関して作用する装着手段とを含み、
上記可撓性のあるウェブは、当該可撓性のあるウェブの外側端部まで延在するスリットを備えて提供される少なくとも１つの開口を含み、且つ上記開口の半径の５０％よりも大きい厚さを有し、
上記スリットは、上記可撓性のあるウェブが当該スリットを介した上記開口内への上記コードの挿入を可能とするために変形することができるように配設され、
その結果、上記コードは、上記可撓性のあるウェブに関する略縦方向の移動に対して保持され、
上記装着手段は、上記本体が上記地面上又は上記床面上に吊り下げられることを可能とすること
を特徴とするコード保持具。
【請求項３】
上記可撓性のあるウェブにおける上記開口は、上記コードの直径の５％乃至１５％の間よりも小さいこと
を特徴とする請求項２記載のコード保持具。
【請求項４】
上記スリットの幅は、上記孔の直径の１５％よりも小さいこと
を特徴とする請求項２記載のコード保持具。
【請求項５】
上記開口内への挿入位置でその直径を増加させるために、上記コードに関する位置用のインサートをさらに含むこと
を特徴とする請求項２記載のコード保持具。
【請求項６】
上記本体は、上記可撓性のあるウェブを支持し、且つ上記コードの長さ方向におけるその弾性移動を制限するために、隣接する開口間に配置された指要素を含み、
上記指要素は、実質的に固く非弾性であること
を特徴とする請求項２記載のコード保持具。
【請求項７】
上記本体を入れるフレーム部材をさらに含み、
上記フレーム部材は、上記地面上又は上記床面上の上記コードの配置のための定着物に対する当該コード保持具の取り付けのためのクランプを有すること
を特徴とする請求項２記載のコード保持具。
【請求項８】
上記フレーム部材は、上記本体、及び当該フレーム部材に対する当該本体の取り付けのための固定手段を入れるチャネルを有すること
を特徴とする請求項７記載のコード保持具。
【国際調査報告】
2005510993.tif 000019
2005510993.tif 000020